(57)【特許請求の範囲】
【請求項１】
建築情報統合管理システムであって、
建築物を構成する複数のオブジェクトを空間座標で規定した３次元モデル情報を含む３次元モデルマスターデータと、前記建築物を構成する要素或いは該建築物に附属する部材のメンテナンス情報を前記３次元モデル内の空間座標情報に関連付けた建築関連情報を含む建築関連情報マスターデータとを格納する記憶部と、
前記３次元モデルを構成する少なくとも１つのオブジェクトをビューポートに投影して表示する表示部と、
前記表示部により前記ビューポートに投影されるオブジェクトに基づき前記建築関連情報マスターデータを参照して当該オブジェクトに関連する、および／または、当該オブジェクトが位置する空間座標に関連する建築関連情報を抽出し、前記３次元モデルマスターデータを参照して前記ビューポートに投影されるオブジェクトに基づき選択される投影ルールに従った複数のビューポートのメニューリストを抽出する抽出部と、
前記抽出部により抽出された建築関連情報のリストであって指示することによって建築関連情報の各々の内容を表示させるような項目を含むリスト、および、前記抽出部により抽出された複数のビューポートのメニューリストであって指示することによって前記複数のビューポートの各々に含まれる少なくとも１つのオブジェクトを投影して表示させるような項目を含むメニューリストを前記表示部に表示させる表示制御部と、
端末の位置を測位するＧＰＳ機能部と、端末の姿勢を検知する姿勢センサ部と、前記建築物を対象建築物として撮影する撮影部と、端末側表示部と、を有する携帯端末とネットワークを介して接続し、通信を行う通信部と、
を有し、
前記表示部が、
前記撮影部で撮影した対象建築物の画像をライブビュー表示部に表示するにあたって、端末の位置、姿勢、および前記撮影部の撮影情報に基づき、前記ライブビュー表示部に表示された対象建築物の画像にあるオブジェクトより遠い箇所に、端末の位置から見えない隠れたオブジェクトが存在する場合には、当該ライブビュー表示部内に、前記隠れたオブジェクトを描画して表示する透過ウィンドウを表示し、
前記撮影部で撮影した対象建築物の画像に含まれる、前記３次元モデルを構成するオブジェクトをビューポートに投影し、表示するにあたって、当該ビューポート内に、前記隠れたオブジェクトを描画して表示する透過ウィンドウを表示し、
前記抽出部が、
前記隠れたオブジェクトに基づき前記建築関連情報マスターデータを参照して当該オブジェクトに関連する、および／または、当該オブジェクトが位置する空間座標に関連する、要素または部材のメンテナンス情報を抽出し、
前記表示部が、
前記ライブビュー表示部の透過ウィンドウに描画された前記隠れたオブジェクトと共に、前記抽出された要素または部材のメンテナンス情報を表示し、
前記ビューポートの透過ウィンドウに描画された前記隠れたオブジェクトと共に、前記抽出された要素または部材のメンテナンス情報を表示する、
ことを特徴とする建築情報統合管理システム。
【請求項２】
請求項１に記載の建築情報統合管理システムにおいて、
前記３次元モデル、或いは、該３次元モデルに含まれるオブジェクトと、前記建築関連情報の少なくとも一部とを関連付ける付加情報の入力を受付ける入力部をさらに有し、
前記記憶部が、
前記付加情報を、前記３次元モデル、或いは、該３次元モデルに含まれるオブジェクト、或いは、前記建築関連情報の少なくとも一部に付加して格納する、
ことを特徴とする建築情報統合管理システム。
【請求項３】
請求項１または２に記載の建築情報統合管理システムにおいて、
前記３次元マスターデータおよび建築関連情報マスターデータが、履歴情報を有し、
前記表示部が、
ユーザから指定された過去の時間に基づき、前記履歴情報を参照して、前記過去の時間において有効な前記３次元モデルを構成する少なくとも１つのオブジェクトをビューポートに投影して表示し、現在において有効なオブジェクトと過去の時間において有効なオブジェクトとが異なる場合には、当該オブジェクトを強調表示し、
前記抽出部が、
前記指定された過去の時間に基づき、前記履歴情報を参照して、前記過去の時間において有効な建築関連情報を抽出し、
前記表示制御部が、
前記抽出部により抽出された建築関連情報のリストであって指示することによって建築関連情報の各々の内容を表示させるような項目を含むリストのうち、現在において有効な項目と過去の時間において有効な項目とが異なる場合には、前記表示部に当該項目を強調表示させる、
ことを特徴とする建築情報統合管理システム。
【請求項４】
請求項１〜３のいずれか１項に記載の建築情報統合管理システムにおいて、
前記抽出部は、
前記表示部により前記ビューポートに投影されるオブジェクトのなかで、或いは、当該オブジェクトが位置する空間座標において、前記メンテナンス情報に基づき、前記要素または部材をメンテナンス候補として抽出し、
前記表示制御部は、
抽出されたメンテナンス候補の要素または部材、或いは、要素または部材が占める空間にあるオブジェクトを、前記ビューポートにおいて強調表示する、および／または、表示された建築関連情報のリスト或いは前記ビューポートのメニューリストのうち、前記メンテナンス候補に関連する項目を強調表示する、
ことを特徴とする建築情報統合管理システム。
【請求項５】
請求項１〜４のいずれか１項に記載の建築情報統合管理システムにおいて、
前記メンテナンス情報は、
前記建築物を構成する要素、或いは該建築物に附属する部材に設置されたＩＣタグの識別情報を搬入時に読み取られ、該識別情報から設定された耐用期限、或いは、検査時期である、
ことを特徴とする建築情報統合管理システム。
【請求項６】
請求項１〜５のいずれか１項に記載の建築情報統合管理システムにおいて、
前記記憶部が、
前記建築物の内部、或いは外部における任意の点から撮影した画像を撮影方角情報と共に前記任意の点、或いは、撮影した画像に含まれるオブジェクトが位置する点に対応する、前記３次元モデルが存在する空間座標情報に関連付けた実撮影画像情報を含む画像データをさらに格納し、
指示することによって前記表示部に、前記ビューポートに投影されたオブジェクトを撮影した実撮影画像情報を表示させる機能を持つアイコンを、前記ビューポート内の前記任意の点、或いは、当該オブジェクトが位置する点に対応する空間座標或いはその近傍に描画する画像処理部をさらに有する、
ことを特徴とする建築情報統合管理システム。
【請求項７】
請求項６に記載の建築情報統合管理システムにおいて、
前記実撮影画像情報は、同じ点から異なる時間に撮影された第１の実撮影画像情報と、第２の実撮影画像情報があり、
前記第１の実撮影画像情報と、前記第２の実撮影画像情報とを比較して、所定の閾値以上変化した領域を検出する画像解析部をさらに有し、
前記表示制御部は、
検出された変化した領域を視覚的にユーザに報知する、
ことを特徴とする建築情報統合管理システム。
【請求項８】
請求項１〜７のいずれか１項に記載の建築情報統合管理システムにおいて、
前記建築情報統合管理システムが、
前記通信部が、
前記表示部のビューポートおよびライブビュー表示部に表示されるものを前記携帯端末に送信し、
前記携帯端末の端末側表示部が、
送信されたビューポートおよびライブビュー表示部に表示されるものを、端末側ビューポートおよび端末側ライブビュー表示部として表示する、
ことを特徴とする建築情報統合管理システム。
【請求項９】
演算処理装置を請求項１〜８のいずれか１項に記載の建築情報統合管理システムとして機能させる建築情報統合管理プログラム。
【請求項１０】
請求項９に記載の建築情報統合管理プログラムを格納したコンピュータ可読記憶媒体。
【発明の詳細な説明】
【技術分野】
【０００１】
本発明は、建築情報統合管理システムおよび建築情報統合管理プログラムに関し、特に、３次元ＣＡＤデータと建築関連情報との間でシームレスに適正な情報にアクセス可能とする建築情報統合管理システムおよび建築情報統合管理プログラムに関するものである。
【背景技術】
【０００２】
建築設計にＣＡＤシステムが広く普及している。ＣＡＤシステムは、当初、２次元ＣＡＤが普及したが、最近は３次元モデルで建築物を記述する場合も多くなりつつある。他方、建築物を構築するためには、３次元モデルで規定した３次元ＣＡＤ以外に、個別の平面図、立面図、設備設計図、或いは建築確認申請書などの様々な建築関連情報が必要となる。３次元ＣＡＤで建築プロジェクトを実施している場合でも、個々のフェーズでは、別途、２次元ＣＡＤで図面を作成していることも多い。従来、３次元モデルの情報と、建築関連情報（２次元ＣＡＤ情報や関連書類を含む）とは、完全に分離した別個のデータであり、例えば、平面図において些細な修正・変更があった場合には、分離したデータである３次元モデルやその他の建築関連情報に対しても、対応する修正・変更を施す必要があった。このような建築業界の状況に対応して、ＣＡＤデータと建築関連情報とを統合して管理する手法としてＢＩＭ(Building Information Modeling)が提案されている。ＢＩＭによる情報統合が実現することによって、設計者、デザイナー、施工監理者、工事施行業者などで情報を共有化することが期待されている。しかしながら、ＢＩＭはコンセプトが提案され初歩的なツールが市販されてはいるが、ＢＩＭを実現するための具体的な統合情報管理技法は開発されていない。ＢＩＭとは若干異なるがＣＡＤデータと建築見積情報とを関連付けて管理する従来技術：「建築情報管理システムと建築情報管理プログラムと記録媒体」（特許文献１を参照されたい。）が提案されている。
【先行技術文献】
【特許文献】
【０００３】
【特許文献１】特開2005-301770号公報
【発明の概要】
【発明が解決しようとする課題】
【０００４】
上述した初歩的なＢＩＭツールや特許文献の技術は、ＣＡＤデータと建築関連情報とを含むデータベースを構築するが、ビルなどの大規模な建築プロジェクトでは、建築関連情報として膨大な書類やデータがデータベースに蓄積されており、そのままではデータベース中の膨大な建築関連情報から必要とされる情報に適切にアクセスすること、或いは、逆に、建築関連情報から３次元ＣＡＤ情報へのアクセスが困難である。そこで、本発明の目的は、３次元ＣＡＤデータ（仮想３Ｄイメージを含む）と建築関連情報との間でシームレスに適正な情報にアクセス可能とする建築情報統合管理システムおよび建築情報統合管理プログラムを提供することである。
【課題を解決するための手段】
【０００５】
上述した諸課題を解決すべく、第１の発明による建築情報統合管理システム（装置）は、
建築物を構成する複数のオブジェクトを空間座標で規定した３次元モデル情報を含む３次元モデルマスターデータと、前記建築物を設計、発注、見積計算、施工、或いは維持管理するための情報（書類、図面、スケジュールなどの工程表、維持管理、耐用期間、検査時期などのメンテナンス資料など）を前記３次元モデル内の空間座標情報に関連付けた建築関連情報を含む建築関連情報マスターデータとを格納する記憶部と、
前記３次元モデルを構成する少なくとも１つのオブジェクトをビューポートに投影して表示する表示部と、
前記表示部により前記ビューポートに投影されるオブジェクトに基づき前記建築関連情報マスターデータを参照して当該オブジェクトに関連する、および／または、当該オブジェクトが位置する空間座標に関連する建築関連情報を抽出し、前記３次元モデルマスターデータを参照して前記ビューポートに投影されるオブジェクトに基づき選択される投影ルールに従った複数のビューポートのメニューリスト（外観、１階、２階、３階などの階層平面図や透過斜視図、特定のオフィスの階層平面図や透過斜視図など）を抽出する（例えば、自動的に検索し、建築関連情報をリスト化する）抽出部と、
前記抽出部により抽出された建築関連情報のリストであって指示することによって建築関連情報の各々の内容を表示させるような項目を含むリスト、および、前記抽出部により抽出された複数のビューポートのメニューリストであって指示することによって前記複数のビューポートの各々に含まれる少なくとも１つのオブジェクトを投影して表示させるような項目を含むメニューリストを前記表示部に表示させる表示制御部と、
を有する。
【０００６】
また、第２の発明による建築情報統合管理システムは、
前記３次元モデル、或いは、該３次元モデルに含まれるオブジェクト（即ち、要素オブジェクトである壁、ドア、天井、柱など）と、前記建築関連情報の少なくとも一部とを関連付ける付加情報（例えば、３次元モデルやオブジェクトを特徴付けるキーワードなどのメタ情報など）の入力を受付ける入力部をさらに有し、
前記記憶部が、
前記付加情報を、前記３次元モデル、或いは、該３次元モデルに含まれるオブジェクト（即ち、要素オブジェクトである壁、ドア、天井、柱など）、或いは、前記建築関連情報の少なくとも一部に付加して格納する（例えば、モデル、オブジェクト、建築関連情報のメタデータの形式としてモデルやオブジェクトに付加し、格納する）、
ことを特徴とする。
好適には、記憶部が、前記３次元モデル、或いは、該３次元モデルに含まれるオブジェクトの属性情報（ファイルタイプなど）に対応した付加情報を選択するための分類ルールをさらに格納し、
前記抽出部が、前記３次元モデル、或いは、該３次元モデルに含まれるオブジェクトの属性情報（ファイルタイプなど）に基づき、前記分類ルールを参照して、対応する付加情報を該３次元モデル、或いは、該３次元モデルに含まれるオブジェクトに自動的に付加し、
前記表示制御部が、
前記付加情報に基づき、付加情報毎に分類した形式で、前記抽出部により抽出された建築関連情報のリストを表示部に表示させる。
【０００７】
また、第３の発明による建築情報統合管理システムは、
前記３次元マスターデータおよび建築関連情報マスターデータが、履歴情報（過去から現在までの設計や仕様の変更情報を含む３次元マスターデータや建築関連情報マスターデータ）を有し、
前記表示部が、
ユーザから指定された過去の時間に基づき、前記履歴情報を参照して、前記過去の時間において有効な前記３次元モデルを構成する少なくとも１つのオブジェクトをビューポートに投影して表示し、現在において有効なオブジェクトと過去の時間において有効なオブジェクトとが異なる場合には、当該オブジェクトを強調表示し、
前記抽出部が、
前記指定された過去の時間に基づき、前記履歴情報を参照して、前記過去の時間において有効な建築関連情報を抽出し、
前記表示制御部が、
前記抽出部により抽出された建築関連情報のリストであって指示することによって建築関連情報の各々の内容を表示させるような項目を含むリストのうち、現在において有効な項目と過去の時間において有効な項目とが異なる場合には、前記表示部に当該項目を強調表示させる、
ことを特徴とする。
また、好適には、前記表示制御部が、前記表示部を制御して、スケジュールと連動したメンテナンス情報及び建築関連情報（のリスト）を表示させる。
【０００８】
また、第４の発明による建築情報統合管理システムは、
前記建築関連情報が、
前記建築物を構成する要素（描画されるべき壁材などのオブジェクト自体、或いはそれを構成するもの）或いは該建築物に附属する部材（例えば、壁材、床材、証明器具、配線、吸気・排気機器、吸気・排気ダクト、空調設備、鉄筋、下水管、上水道管など）のメンテナンス情報（耐用期限、検査時期、検査結果、交換や修理の履歴など）であり、
前記抽出部は、
前記表示部により前記ビューポートに投影されるオブジェクトのなかで、或いは、当該オブジェクトが位置する空間座標において、前記メンテナンス情報に基づき、（例えば、耐用期限或いは検査時期別に設定された猶予期日（期限の２月前など）を経過したものを）前記要素または部材をメンテナンス候補として抽出し、
前記表示制御部は、
抽出されたメンテナンス候補の要素または部材、或いは、要素または部材が占める空間にあるオブジェクトを、前記ビューポートにおいて強調表示する（赤などの色付けする、点滅させる、輝度を高めるなど）、および／または、表示された建築関連情報のリスト或いは前記ビューポートのメニューリストのうち、前記メンテナンス候補に関連する項目を強調表示する（赤字にする、太字で表記、点滅させる、ハッチング処理するなど）、
ことを特徴とする。
【０００９】
また、第５の発明による建築情報統合管理システムは、
前記メンテナンス情報は、
前記建築物を構成する要素、或いは該建築物に附属する部材に設置されたＩＣタグの識別情報を搬入時に読み取られ、該識別情報から設定された耐用期限、或いは、検査時期である、
ことを特徴とする。
【００１０】
また、第６の発明による建築情報統合管理システムは、
前記記憶部が、
前記建築物の内部、或いは外部における任意の点から撮影（好適にはパノラマ撮影）した画像を撮影方角情報と共に前記任意の点、或いは、撮影した画像に含まれるオブジェクトが位置する点に対応する、前記３次元モデルが存在する空間座標情報に関連付けた実撮影画像情報を含む画像データをさらに格納し、
指示することによって前記表示部に、前記ビューポートに投影されたオブジェクトを撮影した実撮影画像情報を表示させる機能を持つアイコンを、前記ビューポート内の前記任意の点、或いは、当該オブジェクトが位置する点に対応する空間座標或いはその近傍に描画する画像処理部をさらに有する、
ことを特徴とする。
【００１１】
また、第７の発明による建築情報統合管理システムは、
前記実撮影画像情報は、同じ点から異なる時間に撮影された第１の実撮影画像情報と、第２の実撮影画像情報があり、
前記第１の実撮影画像情報と、前記第２の実撮影画像情報とを比較して、所定の閾値以上変化した領域を検出する画像解析部をさらに有し、
前記表示制御部は、
検出された変化した領域を視覚的にユーザに報知する（画像を色付けして表示する、矩形で囲む、変化前と変化後の画像とを同時に表示する、ビューポート内の当該領域に対応する空間座標に変化した領域の画像を表示したウィンドウを貼り付けるなど）、
ことを特徴とする。
【００１２】
また、第８の発明による建築情報統合管理システムは、
前記建築情報統合管理システムが、
自装置の位置を測位するＧＰＳ機能部と、
自装置の姿勢を検知する姿勢センサ部とをさらに有し、
前記表示部が、
前記自装置の位置および姿勢に基づき、前記３次元モデルを構成する少なくとも１つのオブジェクトをビューポートに投影し、表示されたオブジェクトより遠い箇所に、自装置の位置から見えない隠れたオブジェクト（一般的には壁内の配線や壁と壁の間の配管類など）が存在する場合には、当該ビューポートに、前記隠れたオブジェクトを描画して表示するウィンドウを表示する、
ことを特徴とする。
【００１３】
また、第９の発明による建築情報統合管理システムは、
前記建築情報統合管理システムが、
自装置（自システム）の位置を測位するＧＰＳ機能部と、
自装置の姿勢（撮像部の向き、即ち撮影方向情報に変換し得る情報）を検知する姿勢センサ部と、
対象建築物を撮影する撮影部（カメラ）とをさらに有し、
前記表示部が、
前記撮影部で撮影した対象建築物の画像をライブビュー表示部（ＲＶ）に表示し、
前記自装置の位置、姿勢、および前記撮影部の撮影情報（画角情報など）に基づき、表示された対象建築物の画像にあるオブジェクト（一般的には壁などの仕切り部材）より遠い箇所に、自装置の位置から見えない隠れたオブジェクト（一般的には壁内の配線や壁と壁の間の配管類など）が存在する場合には、当該ライブビュー表示部に、前記隠れたオブジェクトを描画して表示するウィンドウを表示する、
或いは、
前記自装置の位置、姿勢、および前記撮影部の撮影情報（画角情報など）に基づき、前記ライブビュー表示部に表示された対象建築物の画像に含まれる、前記３次元モデルを構成するオブジェクトをビューポートに投影し、表示されたオブジェクトより遠い箇所に、自装置の位置から見えない隠れたオブジェクト（一般的には壁内の配線や壁と壁の間の配管類など）が存在する場合には、当該ビューポートに、前記隠れたオブジェクトを描画して表示するウィンドウを表示する、
ことを特徴とする。
【００１４】
上述したように本発明の解決手段をシステム（装置）として説明してきたが、本発明はこれらに実質的に相当する方法、プログラム、プログラムを記録した記憶媒体としても実現し得るものであり、本発明の範囲にはこれらも包含されるものと理解されたい。なお、下記の方法やプログラムの各ステップは、データの処理においては必要に応じて、CPU、DSPなどの演算処理装置を使用するものであり、入力したデータや加工・生成したデータなどを磁気テープ、HDD、メモリなどの記憶装置に格納するものである。
【００１５】
例えば、本発明をプログラムとして実現させた第１０の発明によるプログラムは、
建築情報統合管理方法をコンピュータに実行させる建築情報統合管理プログラムであって、
建築物を構成する複数のオブジェクトを空間座標で規定した３次元モデル情報を含む３次元モデルマスターデータと、前記建築物を設計、発注、見積計算、施工、或いは維持管理するための情報（書類、図面、スケジュールなどの工程表、維持管理、耐用期間、検査時期などのメンテナンス資料など）を前記３次元モデル内の空間座標情報に関連付けた建築関連情報を含む建築関連情報マスターデータとを記憶部に格納する記憶ステップと、
前記３次元モデルを構成する少なくとも１つのオブジェクトをビューポートに投影して表示部に表示する表示ステップと、
前記表示ステップにより前記ビューポートに投影されるオブジェクトに基づき前記建築関連情報マスターデータを参照して当該オブジェクトに関連する、および／または、当該オブジェクトが位置する空間座標に関連する建築関連情報を抽出し、前記３次元モデルマスターデータを参照して前記ビューポートに投影されるオブジェクトに基づき選択される投影ルールに従った複数のビューポートのメニューリスト（外観、１階、２階、３階などの階層平面図や透過斜視図、特定のオフィスの階層平面図や透過斜視図など）を抽出する抽出ステップと、
前記抽出ステップにより抽出された建築関連情報のリストであって指示することによって建築関連情報の各々の内容を表示させるような項目を含むリスト、および、前記抽出部により抽出された複数のビューポートのメニューリストであって指示することによって前記複数のビューポートの各々に含まれる少なくとも１つのオブジェクトを投影して表示させるような項目を含むメニューリストを前記表示部に表示させる表示制御ステップと、
を有する。
【発明の効果】
【００１６】
本発明によれば、３次元ＣＡＤデータと建築関連情報との間でシームレスに適正な情報にアクセス可能となり、例えば、大量の建築関連情報から必要とされる情報を適切に抽出してアクセスすることが可能となる。また、建築情報と仮想化した建築モデル（３次元ＣＡＤデータ）から、即座に情報を抽出および検索し表示することが可能となる。人による建築情報の検索よりも、多くの情報を表示し、その優先順位を抽出ルールにより決め、自動的に表示することが可能となる。さらには、情報の欠落や最新情報を正確に管理し、意思決定が素早くできるようになる。また、データ整理の手間も減り、抽出ルールのための情報を、建築関連情報や３Dモデルに付加しておくだけで、自動的にデータを整理することが可能となる。
【図面の簡単な説明】
【００１７】
【図１】図１は、本発明の一実施態様による建築情報統合管理システムの概要を示すブロック図である。
【図２】図２は、図１に示したシステムで実行される処理の一例を示すフローチャートである。
【図３】図３は、図１に示したシステムにより出力される情報の表示例を示す図である。
【図４】図４は、図３のメニューリストＭＬでビューポートとして「２階」を選択した後に各ウィンドウの表示内容が遷移した表示例を示す図である。
【図５】図５は、履歴情報を考慮した情報の表示例を示す図である。
【図６】図６は、本発明の一実施態様による建築情報統合管理システムの概要を示すブロック図である。
【図７】図７は、図６に示したシステムで実行される処理の一例を示すフローチャートである。
【図８】図８は、図６に示したシステムにより出力される情報の表示例を示す図である。
【図９】図９は、本実施態様によって出力される情報の表示例を示す図である。
【図１０】図１０は、本実施態様によるメンテナンス情報の処理を説明するための図である。
【図１１】図１１は、本実施態様によって出力される情報の表示例を示す図である。
【図１２】図１２は、本実施態様によって出力される情報の表示例を示す図である。
【図１３】図１３は、本実施態様によって出力される情報の表示例を示す図である。
【発明を実施するための形態】
【００１８】
以降、諸図面を参照しながら、本発明の実施態様を詳細に説明する。
【００１９】
＜実施態様１＞
図１は、本発明の一実施態様による建築情報統合管理システムの概要を示すブロック図である。図に示すように、建築情報統合管理システム１００(ＢＣＭＳ)は、制御部（ＣＰＵ）１１０と、入力部ＩＮＰと、出力部ＯＵＴＰと、通信部ＣＯＭと、記憶部ＭＥＭと、表示部ＤＩＳとを有する。記憶部ＭＥＭは、建築物を構成する複数のオブジェクトを空間座標で規定した３次元モデル情報を含む３次元モデルマスターデータ３ＤＭと、建築物を設計、発注、見積計算、施工、或いは維持管理するための情報（書類、図面、スケジュールなどの工程表、維持管理、耐用期間、検査時期などのメンテナンス資料など）を３次元モデル内の空間座標情報に関連付けた建築関連情報を含む建築関連情報マスターデータＢＲＩＭと、ビューポートに投影されるオブジェクトに基づき、即ち、建築物の描画のされ方に基づき選択される、オブジェクトの種類や範囲および選択されたオブジェクトの描画のされ方を規定した投影ルールＰＲＬとを格納する。表示部ＤＩＳは、３次元モデルを構成する少なくとも１つのオブジェクトをビューポートに投影して表示する。通信部ＣＯＭは、ネットワークＮＥＴを介して外部のサーバである設計事務所サーバＣＯＳ、建築部材の販売会社である部材販売会社ＰＳＳ、環境解析サーバＥＡＳ、或いは、端末ＰＣ１,ＰＣ２，携帯端末ＰＤＡ１などと情報のやりとりをすることが可能である。出力部ＯＵＴＰは、抽出した情報、或いは、表示部ＤＩＳに表示される情報をプリンタＰＲＮで印刷することが可能である。入力部ＩＮＰは、キーボードＫＢＤやマウスＭＵＳでビューポートのメニューリストや建築関連情報のリストを選択。指定したり、描画される建築物やそのオブジェクトを選択・指定したりすることが可能である。
【００２０】
制御部１１０は、抽出部１１１と、表示制御部１１２とを有する。抽出部１１１は、表示部ＤＩＳにより前記ビューポートに投影されるオブジェクトに基づき建築関連情報マスターデータを参照して当該オブジェクトに関連する、および／または、当該オブジェクトが位置する空間座標に関連する建築関連情報を抽出し、３次元モデルマスターデータを参照してビューポートに投影されるオブジェクトに基づき選択される投影ルールＰＲＬの１つに従った複数のビューポートのメニューリスト（外観、１階、２階、３階などの階層平面図や透過斜視図、特定のオフィスの階層平面図、透過斜視図、パース図など）を抽出する。表示制御部１１２は、抽出部１１１により抽出された建築関連情報のリストであって指示することによって建築関連情報の各々の内容を表示させるような項目を含むリスト、および、抽出部１１１により抽出された複数のビューポートのメニューリストであって指示することによって複数のビューポートの各々に含まれる少なくとも１つのオブジェクトを投影して表示させるような項目を含むメニューリストを表示部ＤＩＳに表示させる。
【００２１】
入力部ＩＮＰは、３次元モデル、或いは、該３次元モデルに含まれるオブジェクト（即ち、要素オブジェクトである壁、ドア、天井、柱など）と、建築関連情報の少なくとも一部とを関連付ける付加情報（例えば、３次元モデルやオブジェクトを特徴付けるキーワードなど）の入力を受付ける。記憶部ＭＥＭは、付加情報を、３次元モデル、或いは、その３次元モデルに含まれるオブジェクト（即ち、要素オブジェクトである壁、ドア、天井、柱など）と、建築関連情報の少なくとも一部とに付加して格納する（例えば、モデル、オブジェクト、建築関連情報のメタデータの形式として付加し、格納する）。付加情報は、建築関連情報を抽出するときに使用してもよいし、建築関連情報のリストを分類するときに使用してもよい。表示制御部１１２は、建築関連情報のリストＦＬを見易くして、かつ、ユーザの操作性を向上させるため、リスト中の要素を予め設定した分類ルールに基づきカテゴリー別に自動分類して、分類されたカテゴリー毎に表示させるいわゆる「タブ表示機能」を持つ。分類ルールは、様々なものが考えられるが、具体的には、ファイルタイプが文書を示すTXT,DOCである場合はカテゴリー「書類」、ファイルタイプがイメージ（画像）を示すJPEG,TIFF,BMPである場合はカテゴリー「イメージ」、ファイルタイプが図面を示すJWC,DXFである場合はカテゴリー「図面」などであると見なし、当該ファイルに各カテゴリーを示すキーワードなどの識別情報をメタ情報として自動的に付加することが好適である。但し、メタ情報はユーザが手動で付加してもよい。また、例えば、図に示すように、全てのリストの構成要素をサムネイル表示してもよいし、所望のタブを入力部により指示選択することによって、図面、書類、イメージ、その他などのカテゴリーでフィルタリングした形式でサムネイル表示することが可能である。入力部を介して、サムネイル表示したアイコンを指示選択することによって、当該要素を拡大表示させることも可能である。このようにメタデータを手動や自動で付加する
【００２２】
抽出した情報、即ち、表示部に描画されるオブジェクトに基づき建築関連情報マスターデータを参照して当該オブジェクトが位置する空間座標に関連する建築関連情報、および、投影されるオブジェクトに基づき選択される投影ルールＰＲＬの１つに従った複数のビューポートのメニューリストは、適宜、記憶部ＭＥＭに格納し、後で同様のオブジェクトが投影されたときのためのメニューとして再利用可能とする。このように、抽出した或いは生成した情報や中間データおよび取得したデータを記憶部に格納したり、或いは、外部に送信したり、表示部に表示したりすることは、後述する他の実態態様でも同様に可能であることに注意されたい。なお、本システム（装置）は、汎用コンピュータ、特定用途コンピュータ、サーバ、ＰＣなどのコンピュータ、或いは、これらコンピュータに本システムの機能や処理手順（方法）をコンピュータ上で実現（実行）するプログラムモジュールをコンピュータが持つＣＰＵや記憶部に保持したり、外部のサーバやストレージから読み込んだりすることで、コンピュータ上に本システムを構築することが好適であり、後続の各実施態様においても同様である。
【００２３】
図２は、図１に示したシステムで実行される処理の一例を示すフローチャートである。図に示すように、ステップＳ１１にて、記憶部ＭＥＭは、建築物を構成する複数のオブジェクト（建築物の要素やその付属物を表す立体物）を空間座標で規定した３次元モデル情報を含む３次元モデルマスターデータ３ＤＭと、建築物を設計、発注、見積計算、施工、或いは維持管理するための情報（書類、図面、スケジュールなどの工程表、維持管理、耐用期間、検査時期などのメンテナンス資料など）を３次元モデル内の空間座標情報に関連付けた建築関連情報を含む建築関連情報マスターデータＢＲＩＭと、ビューポートに投影されるオブジェクトに基づき、即ち、建築物の描画のされ方に基づき選択される、オブジェクトの種類や範囲および選択されたオブジェクトの描画のされ方を規定した投影ルールＰＲＬとを格納する。オプションであるが、格納時に、検索可能なキーワードを付加することができる。ファイル名（例えば、ファイル名に含まれるキーワードやファイル識別情報であるファイルタイプなど）に基づき適正なキーワードを自動選択し、当該ファイルに自動付加することも可能である。ステップＳ１２では、表示部ＤＩＳは、３次元モデルを構成する少なくとも１つのオブジェクトをビューポートに投影して表示する。次に、ステップＳ１３では、抽出部１１１は、表示部ＤＩＳにより前記ビューポートに投影されるオブジェクトに基づき建築関連情報マスターデータＢＲＩＭを参照して当該オブジェクトに関連する、および／または、当該オブジェクトが位置する空間座標に関連する建築関連情報を抽出し、３次元モデルマスターデータ３ＤＭを参照してビューポートに投影されるオブジェクトに基づき選択される投影ルールＰＲＬの１つに従った複数のビューポートのメニューリスト（外観、１階、２階、３階などの階層平面図や透過斜視図、特定のオフィスの階層平面図、透過斜視図、パース図など）を抽出する。また、オプションであるが、リスト表示とサムネイル表示の２つで表示できる。「図面、書類、イメージ、その他」のカテゴリ表示で表示データを分類できる。検索ウィンドウから、さらにデータを絞りこんだり、分類したりできる。最後にステップＳ１４にて、表示制御部１１２は、抽出部１１１により抽出された建築関連情報のリストであって指示することによって建築関連情報の各々の内容を表示させるような項目を含むリスト、および、抽出部１１１により抽出された複数のビューポートのメニューリストであって指示することによって複数のビューポートの各々に含まれる少なくとも１つのオブジェクトを投影して表示させるような項目を含むメニューリストを表示部ＤＩＳに表示させて、処理を終える。オプションであるが、表示する場合には、リスト及びサムネイルデータを拡大表示することも可能である。このフローチャートでは、オプションの処理については、各処理ボックスに吹き出しウィンドウで図示して説明してあるが、以降の同様のフローチャートでも同様の吹き出しウィンドウが図示して有る場合はそれらの説明は省略するものとする。
【００２４】
図３は、図１に示したシステムにより出力される情報の表示例を示す図である。図に示すように、表示部ＤＩＳの表示画面Ｄ１０は、３次元モデルを構成する少なくとも１つのオブジェクトを、制御部（ＣＰＵ）或いは図示しない画像エンジンにより描画され、最終的に表示部により表示されるウィンドウ（サブ画面領域）であるビューポートＶＰを有する。表示画面Ｄ１０は、さらに、３次元モデルマスターデータ３ＤＭを参照してビューポートに投影されるオブジェクトに基づき選択される投影ルールＰＲＬの１つに従った複数のビューポートの選択肢をリストしたウィンドウ（サブ画面領域）であるメニューリストＭＬ（３Ｄビューリスト）を有する。この例では、ビューポートＶＰには、建築物の全体外観が表示されているため（即ち、項目「外観」が選択された状態）、抽出部１１１による適正な処理によって抽出された選択肢のメニューリストとして、建築物の内部である１階、２階、３階、４階、および、代表的な内部のオフィスの１つであるオフィス１を表示させるためのビューポートの選択肢が表示されている。るメニューリストＭＬの上部には、３Ｄビューを示す「キーワード」を入力して、所望の３Ｄビューを検索するための３Ｄ検索ウィンドウ３ＤＳＷがある。また、表示画面Ｄ１０は、さらに、建築関連情報のリストであって指示することによって建築関連情報の各々の内容を表示させるような項目を含むウィンドウ（サブ画面領域）であるリストＦＬを有し、リストＦＬの上部には、「キーワード」を入力して、キーワードに基づき抽出される建築関連情報のリストを検索するための建築関連情報検索ウィンドウＡＩＳＷがある。一旦、表示したリストは、この検索ウィンドウに入力したキーワードに基づき、絞り込んだり、或いは、別途、リストを再作成したりすることが可能である。この例では、建築物の全体的な外観をビューポートＶＰに表示しているため、抽出部１１１による適正な処理によって抽出された選択肢のメニューリストが表示される。リストには、例えば、建築確認申請書、構造計算書、各階平面図などの建物全体を総合的に示す建築関連情報の書類の選択肢が表示される。ドキュメントビュー領域ＤＶには、抽出された建築関連情報のサムネイルが表示される。各サムネイルをクリック（指示選択）することで、サムネイルの元データを拡大表示（通常表示）することが可能である。ドキュメントビュー領域ＤＶには、上部にタブＴＡＢが表示してあり、各タブをクリック（指示選択）することで、当該タブに対応する分類ルールでフィルタリングした建築関連情報のサムネイルを表示させることが可能である。このように表示画面Ｄ１０は、ユーザによるキーワード入力、サムネイルのクリック（指示選択）、メニューリストの選択動作に基づくオブジェクトの描画選択動作などに応じて、その表示内容を遷移していく。なお、建築関連情報検索ウィンドウＡＩＳＷや３Ｄ検索ウィンドウ３ＤＳＷは、他の表示画面にも表示されるが、それら説明は省略するものとする。
【００２５】
図４は、図３のメニューリストＭＬでビューポートとして「２階」を選択した後に各ウィンドウの表示内容が遷移した表示例を示す図である。表示部ＤＩＳの表示画面Ｄ１１は、ユーザによるメニューリストＭＬでビューポートとして「２階」を選択する動作によって表示画面Ｄ１１に遷移する。表示画面Ｄ１１のビューポートＶＰには、建築物の２階に含まれる２階部オブジェクト２ＰＤ（２階の階層の主要な部分だけを輪切りにしたオブジェクト集合体）が表示される。メニューリストＭＬには、ビューポートＶＰの表示状況（即ち、表示されるオブジェクト）に応じて、本システムにより自動的に抽出されたビューポートの選択肢として「２階：パース」、「２階：オフィス１」、「２階：オフィス２」が表示される。このように２階全体が表示されたときに、２階のより詳細な部分であるオフィスなどの選択肢が表示されるため、ユーザはスムーズにビューポートを切り替えて、より詳細なオフィス状況などをビューポートＶＰに描画／表示して観察することが可能となる。建築関連情報のリストＦＬには、２階全体を示すビューポートＶＰの表示状況（即ち、表示されるオブジェクト）に応じて、２階平面図、申請書などを２階に関連する建築関連情報のみを抽出してリストとして表示される。また、このようにビューポートＶＰに細部を表示する場合には、建築関連情報のリストで選択されたものを表示するためのウィンドウ（サブ画面領域）としてドキュメントビュー領域ＤＶを表示画面Ｄ１１に表示させることが好適である。この例では、ドキュメントビュー領域ＤＶとして２階平面図２ＦＰが表示されている。こうして、本システムによれば、ビューポートに表示されるオブジェクトの表示状況に応じて、適切な建築関連情報（書類）に容易にアクセスできるような環境（画面インターフェイス）を提供することが可能となる。
【００２６】
３次元モデル情報、および、建築関連情報は、最新の情報が格納されているが、過去の履歴情報を付加して格納しておくことも可能である。本システムは、メニューリストや建築関連情報のリストに、過去の情報を持つ選択肢がある場合は、例えば、当該選択肢を右クリックすることによって、過去の情報の選択肢を選択し、ビューポートに過去の建築物を表示し、その過去の情報に連動して、建築関連情報のリストに過去の書類の選択肢を表示させたり、逆に、ドキュメントビュー領域に過去の書類を選択して表示し、その過去の書類に連動して、ビューポートに当該過去の書類状況に応じた建築物を表示させたりすることが可能である。図５を参照して履歴情報について詳述する。
【００２７】
図５は、履歴情報を考慮した情報の表示例を示す図である。図に示すように、表示部ＤＩＳの表示画面Ｄ１２のビューポートＶＰには、建築物の２階に含まれる２階部オブジェクト２ＰＤが表示される。この例では、ユーザから指定された当該建築物の過去の時間である１年前の３次元モデルに基づき描画されており、ハッチングを施してある部分が過去に現在のものと異なる部分である。即ち、本システムは、表示画面Ｄ１２の時間指定ウィンドウＴＬの時間指定ツマミＦＧを用いて、ユーザから指定された過去の時間に基づき、履歴情報を参照して、過去の時間において有効な前記３次元モデルを構成する少なくとも１つのオブジェクトをビューポートに投影して表示し、現在において有効なオブジェクトと過去の時間において有効なオブジェクトとが異なる場合には、当該オブジェクトをハッチング処理により強調表示してある。また、メニューリストＭＬには、ビューポートＶＰの表示状況に応じて、本システムにより自動的に抽出されたビューポートの選択肢として「２階：パース」、「２階：オフィス１」、「２階：オフィス２」が表示されてあるが、抽出部が、指定された過去の時間に基づき、履歴情報を参照して過去の時間において有効な建築関連情報を抽出し、表示制御部が、抽出部により抽出された建築関連情報のリストであって指示することによって建築関連情報の各々の内容を表示させるような項目を含むリストのうち、現在において有効な項目と過去の時間において有効な項目とが異なる場合には、表示部に当該項目の輪郭を太字の破線で強調表示させてある（２階平面図の項目）。また、メニューリストにおいても、履歴情報において変更された部分を詳細に描画できる視点のビューポートのための項目（この例では２階：大会議室の項目）を太字の破線で強調する処理を表示部或いは表示制御部が行う。こうして、本システムによれば、ビューポートの表示状況において過去の履歴情報で変更がある場合には、その変更に応じて、変更部分を適切に表示しながら、その変更状況と連動して整合性が取れた形式で、変更があった箇所の建築関連情報（書類）に容易にアクセスできるような環境（画面インターフェイス）を提供することが可能となる。
【００２８】
＜実施態様２＞
図６は、本発明の一実施態様による建築情報統合管理システムの概要を示すブロック図である。図に示すように、建築情報統合管理システム２００(ＢＣＭＳ)は、制御部（ＣＰＵ）２１０と、入力部ＩＮＰと、出力部ＯＵＴＰと、通信部ＣＯＭと、記憶部ＭＥＭと、表示部ＤＩＳとを有する。本実施態様では、実施態様１と同様の符号や名称の機能部、装置、サーバ、端末などは、特に言及しない限り同様の機能を持つことに注意されたい。このことは他の実施態様でも同様である。制御部２１０は、抽出部２１１、表示制御部２１２、画像処理部２１３、取得部２１４、および画像解析部２１５を有する。通信部ＣＯＭは、少なくとも１つのＩＣタグリーダＩＣＴＲおよび少なくとも１つのカメラＣＡＭに接続する。また、本実施態様では、建築関連情報マスターデータＢＲＩＭは、建築物を構成する要素（描画されるべき壁材などのオブジェクト自体、或いはそれを構成するもの）或いは該建築物に附属する部材（例えば、壁材、床材、証明器具、配線、吸気・排気機器、吸気・排気ダクト、空調設備、鉄筋、下水管、上水道管など）のメンテナンス情報（耐用期限、検査時期、検査結果、交換や修理の履歴など）を含む建築関連情報を格納している。メンテナンス情報は、取得部２１４の制御のもと、例えば、対象建築物の資材搬入路などに設置されたＩＣタグリーダＩＣＴＲによって、搬入資材や搬入部材に取り付けたＩＣタグから読み取ったものであり、典型的には、部材や資材（蛍光灯、パッキン、フィルターなどの消耗品、或いは、法定の定期点検が必要な機器）の耐用期限、或いは、検査時期などである。さらに、メンテナンス情報は、当該建築物を構成する要素、或いは当該建築物に附属する部材に設置されたＩＣタグが格納し、本システムによって読み取られた識別情報そのものである必要はなく、当該識別情報に基づき、例えば、部材販売会社サーバＰＳＳなどから取得したメンテナンス関連データを含む資材情報を参照して、算出或いは設定した耐用期限、或いは、検査時期としてもよい。抽出部２１１は、メンテナンス情報に基づき、表示部によりビューポートに投影されるオブジェクトのなかで、或いは、当該オブジェクトが位置する空間座標において、耐用期限或いは検査時期別に設定された猶予期日（例えば、期限の２月前など）を過ぎたものをメンテナンス候補として抽出する。表示制御部２１２は、抽出されたメンテナンス候補、或いは、前記メンテナンス候補が位置する空間を占めるオブジェクトを、前記ビューポートにおいて強調表示する（赤などの色付けする、点滅させる、輝度を高めるなど）、および／または、表示された建築関連情報のリスト或いは前記ビューポートのメニューリストのうち、前記メンテナンス候補に関連する項目を強調表示する（赤字にする、太字で表記、点滅させるなど）。画像処理部２１３および画像解析部２１５は実施態様３で詳細にその機能を説明する。
【００２９】
図７は、図６に示したシステムで実行される処理の一例を示すフローチャートである。ステップＳ２１，Ｓ２３，Ｓ２４，Ｓ２６は、図２のステップと同様の処理であるため説明を省略し、変更した処理や追加した処理のみを説明する。図７に示すように、ステップＳ２２にて、取得部２１４が、通信部ＣＯＭおよびＩＣタグリーダＩＣＴＲを用いて、対象の建築物の部材や附属物に関するメンテナンス情報を取得する。取得したメンテナンス情報は、建築物関連情報の関連する部材や要素に関連付けて格納される。ステップＳ２５では、抽出部２１１が、メンテナンス情報に基づき、表示部によりビューポートに投影されるオブジェクトのなかで、或いは、当該オブジェクトが位置する空間座標において、耐用期限或いは検査時期別に設定された猶予期日（例えば、期限の２月前など）を過ぎたものをメンテナンス候補として抽出する。ステップＳ２６では、表示制御部２１２が、抽出されたメンテナンス候補、或いは、前記メンテナンス候補が位置する空間を占めるオブジェクトを、前記ビューポートにおいて強調表示する、または、表示された建築関連情報のリスト或いは前記ビューポートのメニューリストのうち、メンテナンス候補に関連する項目を強調表示し、処理を終える。
【００３０】
図８は、図６に示したシステムにより出力される情報の表示例を示す図である。図に示すように、表示部ＤＩＳの表示画面Ｄ２０は、３次元モデルを構成する少なくとも１つのオブジェクトを、制御部（ＣＰＵ）或いは図示しない画像エンジンにより描画され、最終的に表示部により表示されるウィンドウ（サブ画面領域）であるビューポートＶＰを有する。表示画面Ｄ２０は、さらに、３次元モデルマスターデータ３ＤＭを参照してビューポートに投影されるオブジェクトに基づき選択される投影ルールＰＲＬの１つに従った複数のビューポートの選択肢をリストしたウィンドウ（サブ画面領域）であるメニューリストＭＬを有する。この例では、ビューポートＶＰには、建築物の４階に含まれる４階部オブジェクト４ＰＤが表示される。メニューリストＭＬには、ビューポートＶＰの表示状況（即ち、表示されるオブジェクト）に応じて、本システムにより自動的に抽出されたビューポートの選択肢として「４階ビュー１」、「４階ビュー２」、「４階：機械室」、「４階：オフィス１」（図示せず）が表示される。このように４階全体が表示されたときに、４階のより詳細な部分である機械室やオフィスなどの選択肢（リスト）が表示されるため、ユーザはスムーズにビューポートを切り替えて、より詳細な各部屋の状況などをビューポートＶＰに描画／表示して観察することが可能となる。表示画面Ｄ２０は、さらに、建築関連情報のリストであって指示することによって建築関連情報の各々の内容を表示させるような項目を含むウィンドウ（サブ画面領域）である建築関連情報のリストＦＬを有する。
【００３１】
本実施態様では、抽出部２１１によって、メンテナンス情報に基づき、表示画面Ｄ２０のビューポートＶＰに投影されるオブジェクトのなかで、或いは、当該オブジェクトが位置する空間座標において、耐用期限或いは検査時期別に設定された猶予期日（例えば、期限の６月前など）を過ぎたものをメンテナンス候補として、「機械室ＭＲ」に設置された部材の１つである「Ｘ機器」や「昇降機用電源ユニット」が抽出されている。表示制御部２１２が、抽出されたメンテナンス候補、或いは、前記メンテナンス候補が位置する空間を占めるオブジェクトである機械室ＭＲを、前記ビューポートにおいて強調表示し、また、表示された建築関連情報のリスト或いは前記ビューポートのメニューリストＭＬのうち、メンテナンス候補に関連する項目である「４階：機械室」を強調表示することが可能である。また、ビューポートＶＰで強調表示してあるメンテナンス対応の対象オブジェクトの強調表示に連動して、建築関連情報のリストＦＬのなかのメンテナンス対応が必要な項目である「４階：機械室」を強調表示することが可能である。或いは、図中の建築関連情報のリストＦＬに示すように、長期メンテナンス、短期メンテナンス、メンテナンス計画、テナント情報などのようなカテゴリー別に分類したリスト項目（選択肢）を表示し、ユーザ選択に基づき、本実施態様のように、短期メンテナンスの情報をドキュメントビュー領域ＤＶに表示させることも可能である。メンテナンス情報の詳細を表示するメンテナンス情報ウィンドウＭＡＩには、メンテナンス情報として前回の定期検査日およびその検査結果、さらには、次回の検査期限日程が表示され、ユーザは、容易にメンテナンス状況や対応すべき検査およびその期限を把握することが可能となる。また、
【００３２】
表示画面Ｄ２０にはドキュメントビュー領域ＤＶを表示させてあるが、この例では４階平面図４ＦＰが表示されており、４階機械室ＭＲが強調表示してある。このような表示状況において、ユーザが、ビューポートＶＰにおいて機械室ＭＲを指示選択するか、メニューリストＭＬの項目「４階：機械室」を指示選択するか、ドキュメントビュー領域ＤＶの機械室ＭＲを選択するか、建築関連情報のリストＦＬの項目「４階機械室」を指示選択するかのいずれの指示選択がされると、本システムは、４階：機械室を拡大したものビューポートＶＰに描画し、メニューリストＭＬには、４階機械室の細部の複数のビューポートの選択肢を表示し、ドキュメントビュー領域ＤＶには機械室ＭＲの平面図を表示し、建築関連情報のリストＦＬには、４階機械室のさらに詳細な項目、例えば、そこに設置された機械、装置、設備などの情報の項目を表示する。このようにして、本システムによれば、ビューポートに表示されるオブジェクトの表示状況に応じて、適切なメンテナンス情報およびそれに関連する建築関連情報（書類データ、イメージデータなど）に容易にアクセスできるような環境（画面インターフェイス）を提供することが可能となり、或いは、逆に、建築関連情報の指示選択状況（即ち表示状況）に応じて、ビューポートに表示されるオブジェクトの表示状況を適切なものに変化させることも可能となる。
【００３３】
＜実施態様３＞
最近の建築物は、設計当初から警備体制を考慮した設備が設けられる場合が多い。特に顕著なのは、防犯、警備用の撮影装置として周囲をパノラマ撮影することが可能な魚眼レンズを用いた監視カメラや、上下・左右にパン・チルト、ズームなどで周囲のパノラマ画像（静止画、動画）を撮影する器材が設置されることある。本システムは、このような監視カメラの画像データを取得部２１４の制御のもとに取得し、画像解析部２１５によって、画像データに基づきメンテナンス情報を生成し、検査時期や備品の交換時期などを推定し、ユーザに報知することが可能である。図９以降でその詳細を説明するが、実施態様３では実施態様２と同じ建築情報統合管理システム２００(ＢＣＭＳ)を使用する。前述したように、図６の建築情報統合管理システム２００の記憶部ＭＥＭは、建築物の内部、或いは外部における任意の点から撮影した画像を撮影方角情報と共に前記任意の点、或いは、パノラマ撮影した画像に含まれるオブジェクトが位置する点に対応する、３次元モデルが存在する空間座標情報に関連付けた実撮影画像情報を含む画像データをさらに格納してあり、指示することによって表示部に、ビューポートに投影されたオブジェクトを撮影した実撮影画像情報を表示させる機能を持つアイコンを、ビューポート内の前記任意の点、或いは、当該オブジェクトが位置する点に対応する空間座標或いはその近傍に描画する画像処理部２１３をさらに有する。図９では、これらのデータおよび機能を用いた処理を行う。
【００３４】
図９は、本実施態様によって出力される情報の表示例を示す図である。図に示すように、表示部の表示画面には、ビューポートＶＰ、および、監視カメラで撮影された実画像を表示する表示ウィンドウであるリアルビューＲＶが表示される。ビューポートＶＰには、ある建築物の平面図ＦＰ１が描画されているが、監視カメラＣＭ１，ＣＭ２，ＣＭ３が居室Ｒ１，Ｒ２、応接室に設置されている。図中の丸印が監視カメラであり、他所にも設置されている。居室Ｒ１に設置された監視カメラＣＭ１のアイコンをクリックすると、居室Ｒ１を監視カメラＣＭ１で撮影した画像を表示するリアルビューＲＶが表示画面に現れる。リアルビューＲＶの代わりにドキュメントビュー領域ＤＶに監視カメラＣＭ１で撮影した画像を表示してもよい。また、ビューポートＶＰの監視カメラＣＭ１には矢印ＡＲ１が出現し、この矢印の向きは、リアルビューＲＶにおける居室Ｒ１の撮影方向を示している。監視カメラＣＭ１でその周囲をパノラマしてある場合は、この矢印ＡＲ１をドラッグすることによってリアルビューＲＶでの表示の方向を変更することが可能である。このように本システムによれば、ＣＡＤの情報から監視カメラの情報の情報にシームレスにストレスなくアクセスすることが可能となる。また、ここでは図示していないが、監視カメラで取得した画像に関連する建築関連情報（この例では居室Ｒ１に関連する情報）を抽出して、表示してもよい。
【００３５】
図１０は、本実施態様によるメンテナンス情報の処理を説明するための図である。図には照度グラフＩＬＧを示してあり、このグラフは、縦軸に、建築物の要素や部材としての照明器具による照度、横軸に時間をとったものである。理想的には照度減衰ラインＩＬＬのように照度は使用時間に応じて減衰していくが、照明器具の性能のばらつきや、照明器具の使用頻度が一定でないため使用時間が把握しにくいなどが原因で、照明器具の交換時期や検査時期を設定するのが困難な場合が多い。そのため、建築物の管理者は、照度減衰ラインＩＬＬを推定し、一定期間経過後に、一律に、照明器具を定期交換しているのが現状である。本システムは、建築物に設置された監視カメラで取得した画像から照度を算出し、照度グラフＩＬＧに組み込んで管理しているため、実測照度ＡＭＰが交換すべき照度閾値ＴＨを下回った場合に、当該、要素や部材をユーザに要交換対象物として報知する。具体的には、例えば、画像解析部２１５が、監視カメラで撮影・取得した実撮影画像情報としての画像データの「ある領域」を照度基準領域として設定し、そこにある各画素の輝度から平均照度を求め、予め設定してあり、記憶部ＭＥＭに格納済みの数値である照度閾値ＴＨ未満になった場合に、監視カメラで撮影した場所（例えば、図９の居室Ｒ１）を視覚的にユーザに報知する（画像を色付けして表示する、矩形で囲む、変化前と変化後の画像とを同時に表示する、ビューポート内の当該領域に対応する空間座標に変化した領域の画像を表示したウィンドウを貼り付けるなど）。このとき、当該場所に関連付けてある建築関連情報として、当該場所の照明器具の情報がある場合には、ビューポート内の当該領域に対応する空間座標に照明器具のアイコンを描画し、照明器具の交換や点検が必要である旨のメッセージを表示したり、図８で示したメンテナンス情報ウィンドウＭＡＩなどに照明器具の交換や点検が必要であることを示す情報を表示したりすることが好適である。このような処理によって、建築物を建設した後に、効率よく建築物のメンテナンスを実施することが可能となる。
【００３６】
図１１は、本実施態様によって出力される情報の表示例を示す図である。図に示すように、表示部の表示画面には、ビューポートＶＰ、および、監視カメラで撮影された実画像を表示する表示ウィンドウであるリアルビューＲＶ１−ＲＶ３が表示される。ビューポートＶＰは、図９に示したものと同じものである。居室Ｒ１を監視カメラＣＭ１で撮影した画像を表示するリアルビューＲＶ１は過去の画像であり、同じ居室Ｒ１を同じ条件で撮影した画像を表示するリアルビューＲＶ２は現在の画像である。画像解析部２１５は、同じ点から異なる時間に撮影された第１の実撮影画像情報（過去の居室Ｒ１の画像）と、第２の実撮影画像情報（現在の居室Ｒ１の画像）とを比較して、変化した領域を検出する。この例では、クラックＣＲが検出され、強調表示のサークルＥＭＰを表示し、さらに、ビューポートＶＰの居室Ｒ１もハッチングで強調表示してある。また、上述した例では、過去の画像と現在の画像とで比較し、メンテナンスを必要とされる箇所を検出したが、例えば、同等の仕様で造った場所同士の画像を比較することでも、メンテナンスが必要な箇所を検出することができる。居室Ｒ２は居室Ｒ１と同様の仕様の居室であり、居室Ｒ２を監視カメラＣＭ２で撮影した画像を表示するリアルビューＲＶ３の画像と、対応するリアルビューＲＶ２の画像とを比較することによっても、クラックＣＲの出現を検出してもよい。
【００３７】
取得部２１４は、入力部ＩＮＰ、及び、マウスＭＵＳやキーボードＫＢＤを介して、リアルビューで表示される画像やドキュメントビュー領域に対して、追加情報を記入する機能（いわゆる赤入れ機能）を有する。例えば、図に示すように、リアルビューＲＶ３に示す居室Ｒ２は、居室Ｒ１と同様の仕様の部屋であるため、正面の壁面にクラックが入る可能性が高い。このようにある程度予測可能な危険性をビルの管理者、設計者、施工者、オーナーなどで共有し、注意を喚起するために、取得部２１４は、マウスＭＵＳやキーボードＫＢＤを介して、画面上の該当箇所にクラックを模した線ＣＲ−1の書き込み、および、吹き出し部ＦＫＢにこのことを示す文字情報「同仕様の他の部屋にて、該当箇所にクラック発生。要注意！！」を取得し、この画像のファイルに付加する。付加した後のリアルビューＲＶ３−１には、図に示すように、吹き出し部ＦＫＢやクラックを模した線ＣＲ−１が表示される。管理者などは、後で、この赤入れ（情報追加）をした画像や書類を参照するたびに、このような情報にアクセスすることが可能となり、より注意深く、かつ、より効率的にメンテナンス作業（保守管理作業）を行うことが容易となる。
【００３８】
図１２は、本実施態様によって出力される情報の表示例を示す図である。図に示すように、表示部の表示画面には、ビューポートＶＰ、および、監視カメラで撮影された実画像を表示する表示ウィンドウであるリアルビューＲＶ４が表示される。ビューポートＶＰには、ある建築物の平面図ＦＰ１が描画されているが、監視カメラＣＭ１，ＣＭ２，ＣＭ３が居室Ｒ１，Ｒ２、応接室に設置されている。平面図ＦＰ１は、図９、図１１に示したものと同様である。即ち、図中の丸印が監視カメラであり、他所にも設置されている。居室Ｒ１に設置された監視カメラＣＭ１のアイコンをクリックすると、居室Ｒ１を監視カメラＣＭ１で撮影した画像を表示するリアルビューＲＶ４が表示画面に現れる。リアルビューＲＶ４の代わりにドキュメントビュー領域ＤＶに監視カメラＣＭ１で撮影した画像を表示してもよい。また、ビューポートＶＰの監視カメラＣＭ１には矢印ＡＲ１が出現し、この矢印の向きは、リアルビューＲＶ４における居室Ｒ１の撮影方向を示している。監視カメラＣＭ１でその周囲をパノラマしてある場合は、この矢印ＡＲ１をドラッグすることによってリアルビューＲＶ４での表示の方向を変更することが可能である。
【００３９】
このように本システムによれば、ＣＡＤの情報から監視カメラの情報の情報にシームレスにストレスなくアクセスすることが可能となる。また、ここでは図示していないが、監視カメラで取得した画像に関連する建築関連情報（この例では居室Ｒ１に関連する情報）を抽出して、表示してもよい。例えば、リアルビューＲＶ４には、撮影方向にある壁の向こう側に存在する機器や部材を表示する透過ウィンドウＲＶ４−ＰＶを表示することが可能である。本システムは、カメラＣＭ１からカメラの撮影方向情報（上下角度、水平角度）を取得し、当該撮影方向にある壁の向こう側に存在する機器や部材の３Ｄオブジェクトを描画し、当該撮影方向にある壁の対応する位置に設けた透過ウィンドウＲＶ４−ＰＶに表示する機能を有する。また、当該ウィンドウの表示の際には、吹き出し部ＦＫＢ１に示すようにウィンドウ内に表示された機器や部材などの要素に基づきメンテナンス情報を抽出して「壁のなかにＴ字配管あり。耐用期限2030年12月10日」のようなメッセージを表示したり、耐用期限がある期限以内に迫っている場合には警告表示や警告音でユーザに注意を喚起したりすることが好適である。このようにして、ユーザは、壁のなかに設置されたＴ字配管ＴＰの存在やそのメンテナンス情報を容易に認識することが可能となる。また、透過ウィンドウＲＶ４−ＰＶの代わりに、或いは、それと共に、表示部の表示画面には、別のビューポートＶＰ４を表示することも可能である。ビューポートＶＰ４は、カメラＣＭ１の撮影方向と連動して視点や描画対象を変更することが好適である。ビューポートＶＰ４には、透過ウィンドウＲＶ４−ＰＶと同様のものである、透過ウィンドウＶＰ４-ＰＶを表示する。ビューポートＶＰ４に設けた透過ウィンドウＶＰ４-ＰＶは、３Ｄ−ＣＡＤモデルに基づき表示してあるので、正確な位置に透過ウィンドウＶＰ４-ＰＶを設置できるので、壁の中の部材であるＴ字パイプＴＰを非常に正確な位置で表示できるというメリットがある。
【００４０】
図１３は、本実施態様によって出力される情報の表示例を示す図である。図に示すように、表示部の表示画面には、ビューポートＶＰ、および、監視カメラで撮影された実画像を表示する表示ウィンドウであるリアルビューＲＶ５が表示される。ビューポートＶＰには、ある建築物の平面図ＦＰ１が描画されているが、監視カメラＣＭ１，ＣＭ２，ＣＭ３が居室Ｒ１，Ｒ２、応接室に設置されている。平面図ＦＰ１は、図９、図１１に示したものと同様である。但し、この例では、カメラ（図示せず）およびＧＰＳ機能（図示せず）を持った携帯端末ＰＤＡ１を持った人物が居室Ｒ４に位置しており、カメラを用いて矢印ＡＲ２の撮影方向で撮影している状況を想定している。本システムＢＣＭＳ２００は、ＰＤＡ１のカメラからカメラの撮影方向情報（上下角度、水平角度）およびＧＰＳ機能部が測位した位置情報を取得し、当該位置から当該撮影方向にある壁の向こう側に存在する機器や部材の３Ｄオブジェクトを描画し、当該撮影方向にある壁の対応する位置に設けた透過ウィンドウＲＶ５−ＰＶに表示する機能を有し、全ての画面情報をＰＤＡ１に送信して、ＰＤＡ１の表示画面に表示させる機能を有する。或いは、本システムＢＳＭＳ２００の機能を全て携帯端末ＰＤＡ１に持たせることも好適である。また、当該ウィンドウの表示の際には、吹き出し部ＦＫＢ２に示すようにウィンドウ内に表示された機器や部材などの要素に基づきメンテナンス情報を抽出して「壁のなかに配管あり。バルブあり」のようなメッセージを表示したり、耐用期限がある期限以内に迫っている場合には警告表示や警告音でユーザに注意を喚起したりすることが好適である。このようにして、ユーザは、壁のなかに設置された配管やバルブＶＬＶの存在やそのメンテナンス情報を容易に認識することが可能となる。また、透過ウィンドウＲＶ５−ＰＶの代わりに、或いは、それと共に、ＰＤＡ１の表示部の表示画面、或いは、ＢＣＭＳ２００の表示画面には、別のビューポートＶＰ５を表示することも可能である。ビューポートＶＰ５は、ＰＤＡ１のカメラの撮影方向およびその位置情報と連動して視点や描画対象を変更することが好適である。ビューポートＶＰ５には、透過ウィンドウＲＶ５−ＰＶと同様のものである、透過ウィンドウＶＰ５-ＰＶを表示する。ビューポートＶＰ５に設けた透過ウィンドウＶＰ５-ＰＶは、３Ｄ−ＣＡＤモデルに基づき表示してあるので、正確な位置に透過ウィンドウＶＰ５-ＰＶを設置できるので、壁の中の部材である配管やバルブＶＬＶを非常に正確な位置で表示できるというメリットがある。携帯端末ＰＤＡ１にＧＰＳ機能、および、ジャイロ機能などの姿勢センサだけを持たせて、その位置情報と姿勢情報から、ビューポートＶＰ５には、透過ウィンドウＲＶ５−ＰＶを表示させてもよい。本構成によれば、ビルの管理業者などが、実際の現場を巡回しながら、普段は壁のなかに隠れて認識することが困難な機器や部材などの様々な情報に容易にアクセスすることが可能となり、メンテナンスの利便性が飛躍的に高まる。
【００４１】
本発明を諸図面や実施例に基づき説明してきたが、当業者であれば本開示に基づき種々の変形や修正を行うことが容易であることに注意されたい。例えば、メンテナンス情報としては、照明器具や電源ユニットの交換時期や交換・検査時期を記載したが、他のものとして、各種設備、例えば、消防法上の設備の法定点検や交換時期などのメンテナンス情報を本システムで処理することも可能である。従って、これらの変形や修正は本発明の範囲に含まれることに留意されたい。例えば、各部、各ステップなどに含まれる処理や機能などは論理的に矛盾しないように再配置可能であり、複数の手段／部やステップなどを１つに組み合わせたり、或いは分割したりすることが可能である。
【符号の説明】
【００４２】
１００（ＢＣＭＳ）  建築情報統合管理システム
１１０  制御部
１１１  抽出部
１１２  表示制御部
２００（ＢＣＭＳ）  建築情報統合管理システム
２１０  制御部
２１１  抽出部
２１２  表示制御部
２１３  画像処理部
２１４  取得部
２１５  画像解析部
ＡＭＰ  実測照度
ＡＲ１，ＡＲ１，ＡＲ２  矢印
ＢＲＩＭ  建築関連情報マスターデータ
ＣＡＭ  カメラ
ＣＭ１  監視カメラ
ＣＭ１，ＣＭ２，ＣＭ３  監視カメラ
ＣＯＭ  通信部
ＣＯＳ  設計事務所サーバ
ＣＲ  クラック
Ｄ１０  表示画面
Ｄ１１  表示画面
Ｄ１２  表示画面
Ｄ２０  表示画面
ＤＩＳ  表示部
ＤＶ  ドキュメントビュー領域
ＥＭＰ  サークル
ＦＧ  時間指定ツマミ
ＦＬ  リスト
ＦＰ１  平面図
ＩＣＴＲ  タグリーダ
ＩＬＧ  照度グラフ
ＩＬＬ  照度減衰ライン
ＩＮＰ  入力部
ＫＢＤ  キーボード
ＭＡＩ  メンテナンス情報ウィンドウ
ＭＥＭ  記憶部
ＭＬ  メニューリスト
ＭＲ  機械室
ＭＵＳ  マウス
ＮＥＴ  ネットワーク
ＯＵＴＰ  出力部
ＰＣ１，ＰＣ２  端末
ＰＤＡ１  携帯端末
ＰＲＬ  投影ルール
ＰＲＮ  プリンタ
ＰＳＳ  部材販売会社サーバ
Ｒ１，Ｒ２，Ｒ４  居室
ＲＶ  リアルビュー
ＲＶ１  リアルビュー
ＲＶ２  リアルビュー
ＲＶ３  リアルビュー
ＲＶ３−１  リアルビュー
ＦＫＢ，ＦＫＢ１，ＦＫＢ２  吹き出し部
ＣＲ−１  クラックを示す線
ＴＨ  照度閾値
ＴＬ  時間指定ウィンドウ
ＶＰ，ＶＰ４，ＶＰ５  ビューポート
ＲＶ４，ＲＶ５  リアルビュー
ＥＡＳ  環境解析サーバ
ＴＰ  Ｔ字配管
ＶＬＶ  バルブ
ＲＶ４−ＰＶ，ＲＶ５−ＰＶ  透過ウィンドウ
ＶＰ４-ＰＶ，ＶＰ５-ＰＶ  透過ウィンドウ
【図１】
0005617472.tif 000002
【図２】
0005617472.tif 000003
【図３】
0005617472.tif 000004
【図４】
0005617472.tif 000005
【図５】
0005617472.tif 000006
【図６】
0005617472.tif 000007
【図７】
0005617472.tif 000008
【図８】
0005617472.tif 000009
【図９】
0005617472.tif 000010
【図１０】
0005617472.tif 000011
【図１１】
0005617472.tif 000012
【図１２】
0005617472.tif 000013
【図１３】
0005617472.tif 000014